(57)【特許請求の範囲】
【請求項１】
割引許可情報、割引情報、利用期間、個人特定情報が書き込まれたＩＣカードと、該ＩＣカードがセットされたとき、ＩＣカードのデータを読み取り、定期券発売機の入力手段より入力された個人特定情報とＩＣカードに書き込まれた個人特定情報とを比較して認証を行い、認証されたことを条件に割引定期券を発券可能な定期券発売機とを備え、
前記定期券発売機は、ＩＣカードに書き込まれた定期券利用期間と、前回の定期券利用期間が重複するか否かをチェックし、重複しないことを条件に割引定期券を発券することを特徴とする割引定期券自動発券システム。
【発明の詳細な説明】
【０００１】
【発明の属する技術分野】
本発明はＩＣカードを使って定期券を自動発券するシステムに関する。
【０００２】
【従来の技術】
従来、学生割引による定期券、身障者に対する割引定期券は、窓口において購入申請書とともに学生割引証明書等のような受益者証明書を提出し、発券者側では受益者に該当するか否かを確認して発行している。
【０００３】
【発明が解決しようとする課題】
このような従来の割引定期券の発券システムは、購入する側にとっては、いちいち受益者証明書を提出しなければならないため、購入手続きが面倒となり、発券者側では発券の自動化が困難であり、手間のかかる作業となっている。さらに、このような乗車券は不正に利用される可能性があり、例えば、学生割引証の場合、定期券の有効期間内に重複して発行されたり、あるいは社会人が学生から借りて定期券を購入しても発券者側で虚偽か否か発見することは困難である。
【０００４】
本発明は上記課題を解決するためのもので、発見者側、受益者側ともに手続きが簡素化でき、かつ不正使用の防止を図ることが可能な定期券自動発券システムを提供することを目的とする。
【０００５】
【課題を解決するための手段】
本発明は、割引許可情報、割引情報、利用期間、個人特定情報が書き込まれたＩＣカードと、該ＩＣカードがセットされたとき、ＩＣカードのデータを読み取り、定期券発売機の入力手段より入力された個人特定情報とＩＣカードに書き込まれた個人特定情報とを比較して認証を行い、認証されたことを条件に割引定期券を発券可能な定期券発売機とを備え、前記定期券発売機は、ＩＣカードに書き込まれた定期券利用期間と、前回の定期券利用期間が重複するか否かをチェックし、重複しないことを条件に割引定期券を発券することを特徴とする。
【０００６】
【発明の実施の形態】
以下、本発明の実施の形態について説明する。
図１は本発明の割引定期券自動発券システムを説明する図である。
パーソナルコンピュータ１は、ＩＣカード２を発行するためのもので、例えば大学、市役所等に設置されて学生用のＩＣカード、身障者用のＩＣカードを発行する。このＩＣカード２を定期券発売機にセットして暗証番号を入力すると、ＩＣカードには利用区間、利用期間等のデータが予め入力されていて、定期券発売機でこのデータが読み取られて自動的に割引料金により定期券が発券される。もちろん、利用区間、利用期間等のデータを定期券を購入する際にテンキーにより入力するようにしてもよい。この場合、定期券発売機は駅に設置する必要はなく、学校、市役所、会社等適宜の場所に設置しても支障がない。
【０００７】
図２はＩＣカード発行の概念図であり、例えば、大学で学生にＩＣカードを発行する場合を考えると、前もって学生のデータを磁気テープまたはフロッピーディスク等に記憶させておき、このデータをパーソナルコンピュータ１でＩＣカードに書き込めるような形式に変換し、発行装置５によりＩＣカードを発行する。なお、ＩＣカードの発行は、パーソナルコンピュータに代えて、専用機等必要に応じて他のどのような手段を用いてもよい。
【０００８】
発行装置５はリーダ／ライターからなり、図３（ａ）に示すようなＩＣカード２の磁気ストライプ６にあらかじめ照合情報を書き込んでおき、この照合情報と合致するデータをＩＣカードファイルから検索し、ＩＣカードデータをＩＣチップ７に書き込む処理を行う。なお、領域８には顔写真がプリントされる。このＩＣチップのメモリには、図３（ｂ）に示すように、割引許可フラグ、割引率、定期券発売機による定期券発行の利用回数、暗証番号等が書き込まれている。
【０００９】
図４は割引定期券を発券する定期券発売機を説明する概念図である。
定期券発売機３の中央の表示パネル１１はタッチパネルになっていて駅名ボタンが配置されている。表示パネルの下側には、プリペイドカード等の挿入口、コイン挿入口、紙幣挿入口の他に、ＩＣカード挿入口１３とテンキー１４が設けられている。なお、受口１５は、購入した定期券、釣銭、プリペイドカード等の受口である。
【００１０】
この定期券発売機を用いて、例えば学生割引で定期券を発券する場合、ＩＣカードを挿入口１３に挿入するとともに、テンキー１４から暗証番号を入力する。定期券発売機では割引許可フラグと割引率を読み取るとともに、入力した暗証番号とＩＣカードに書き込まれている暗証番号とを照合して認証を行う。認証できない場合は発券は禁止される。認証ＯＫの場合には、タッチパネルに表示されている所望の駅名ボタンＡ、Ｋに指で触れるとパネルに割引率に応じた値段が表示され、プリペイドカードあるいは現金で必要な金額を投入すると、受口１３には図５に示すような定期券が発券される。なお、認証方法は、暗証番号に限らず、指紋、網膜、声紋等の個人特定情報を用いるようにしてもよく、その場合には適宜入力方法を変更する必要があり、指紋、網膜等の場合には、光学的読み取り装置を用い、声紋の場合には音声分析装置等を使用すればよい。
【００１１】
また、定期券の利用期間はＩＣカードに予め設定するようにしているが、利用期間もテンキー１４で入力するようにしてもよく、また、利用区間、利用期間ともにＩＣカードに予め設定しておくようにしてもよい。なお、図３に示したように、ＩＣカードには利用期間（定期券の有効期間）が書き込まれるようになっており、発券に際しては前回の有効期間と重複していないか否かの重複チェック（有効性のチェック）が行われる。このチェックはＩＣカード内で処理する方法、あるいはオンラインでセンターに問い合わせる方法のいずれを採用してもよい。チェックの結果、重複していて有効性が喪失している場合には定期券発売機は発券を禁止する。定期券を紛失したような場合には重複チェックにかかって購入できなくなるので、再度、大学において、図２のパーソナルコンピュータで期間の再設定をする必要がある。なお、ＩＣカードにプリペイドカードの機能を持たせておけば、金額の投入を省略できる。
このように、本発明ではＩＣカードを用いて暗証番号等の個人特定情報をチェックして発券し、かつ重複チェックをしているので、不正な使用や、重複しての発券を防止することができる。
【００１２】
【発明の効果】
以上のように本発明によれば、ＩＣカードを使用して乗車券の発券処理を行うようにしたので、いちいち受益者証明を提出する必要がないため購入者側にとって購入手続きが簡素化されるとともに、発券者側も省力化を図ることができ、また暗証番号等の個人特定情報を用いて認証することにより不正使用の防止を徹底することが可能となる。
【図面の簡単な説明】
【図１】  本発明の発券システムを説明する図である。
【図２】  ＩＣカード発行の概念図である。
【図３】  ＩＣカードを説明する図である。
【図４】  本発明における定期券発売機を説明するための概念図である。
【図５】  発券された定期券を示す図である。
【符号の説明】
１…パーソナルコンピュータ、２…ＩＣカード、３…定期券発売機、４…定期券、５…発行装置、６…磁気ストライプ、７…ＩＣチップ、８…顔写真、１１…表示パネル、１３…ＩＣカード挿入口、１４…テンキー、１５…受口。
【図１】
0003802641.tif 000002
【図２】
0003802641.tif 000003
【図３】
0003802641.tif 000004
【図４】
0003802641.tif 000005
【図５】
0003802641.tif 000006